(57)【特許請求の範囲】
【請求項１】
先端が円錐の形態を有し、該円錐の頂点の側を下方に向けて接地するように使用されるスパイクと、
前記スパイクにおける前記頂点近傍の円錐面と面接地により該スパイクを支持するための受け面を備えているスパイク受けと、
から構成されるスパイク構造体であって、
前記スパイク受けが前記スパイクと面接地して立設したときに、該スパイク受けの前記受け面の下方に、該スパイクの円錐の頂点が該スパイク受けと接触しない空間部を備えているスパイク構造体。
【請求項２】
前記スパイク受けの前記受け面が、前記スパイクの前記円錐面と同一の傾斜角を有している、請求項１記載のスパイク構造体。
【請求項３】
物品を載置するための一又は複数の棚板と、該棚板をその下方で支持する複数の支柱と、該支柱の下方で土台として全体を支持する脚部と、を備えるラックであって、
前記脚部として、請求項１又は２に記載のスパイク構造体を用いたことを特徴とするラック。
【請求項４】
前記棚板上の前記物品としてオーディオ関連機器が載置されるようになされたオーディオラックである、請求項３記載のラック。
【発明の詳細な説明】
【技術分野】
【０００１】
本発明は、固定物の振動を抑制して安定性を向上するスパイク構造体および該構造体を用いたラック、詳細には、特にオーディオラックに使用した際に良質の音を実現できるスパイク構造体および該構造体を支柱の脚部として用いたラックに関する。
【背景技術】
【０００２】
従来から、オーディオ業界では、スパイクの頂点を点接地にて支える設計思想が一般的である。現在使用されている通常のスパイクの概念は点接地である。
【０００３】
具体的には、図８（ａ）に示すように、平坦な面のスパイク受け２２に対して円錐形状のスパイク２１の頂点（先端）がＰ地点にて点接地するスパイク構造体２０の形態や、図８（ｂ）に示すように、頂点に対応する凹部を備えるスパイク受け３２に対して円錐形状のスパイク３１の頂点がＰ地点にて点接地するスパイク構造体３０形態等である。このように、従来のスパイク構造体は、何れも点接地によるものが利用されている。
【０００４】
しかし、点接地のスパイク構造は大きな横揺れに対して安定性が無いため、日本のような地震大国では危ないのではないかと、金属加工業者から指摘されていた。このため、従来のスパイク構造体に代わる、より安定性の高いスパイク構造体が望まれていた。
【発明の概要】
【発明が解決しようとする課題】
【０００５】
本発明は、固定物の振動を抑制して安定性を向上するとともに、特にオーディオラックに使用した際に良質の音を実現できるスパイク構造体および該構造体を用いたラックを提供することを目的とする。
【課題を解決するための手段】
【０００６】
本発明者等は、前記課題を解決するべく鋭意研究した結果、スパイクの横方向からの揺れを抑える構造を作れないかと思案し、機械加工の業界では切削物を固定したり、固定物の振動を抑制する際に円錐を面接地にて固定する方法が様々な工具や加工機に使用されているという点に着想を得て、前記目的を達成し得ることの知見を得た。
【０００７】
本発明は、前記知見に基づきなされたもので、下記の発明を提供することにより、その目的を達成したものである。
【０００８】
１．先端が円錐の形態を有し、該円錐の頂点の側を下方に向けて接地するように使用されるスパイクと、
前記スパイクにおける前記頂点近傍の円錐面と面接地により該スパイクを支持するための受け面を備えているスパイク受けと、
から構成されるスパイク構造体であって、
前記スパイク受けが前記スパイクと面接地して立設したときに、該スパイク受けの前記受け面の下方に、該スパイクの円錐の頂点が該スパイク受けと接触しない空間部を備えているスパイク構造体。
【０００９】
２．前記スパイク受けの前記受け面が、前記スパイクの前記円錐面と同一の傾斜角を有している、前記１記載のスパイク構造体。
【００１１】
３．物品を載置するための一又は複数の棚板と、該棚板をその下方で支持する複数の支柱と、該支柱の下方で土台として全体を支持する脚部と、を備えるラックであって、
前記脚部として、前記１又は２に記載のスパイク構造体を用いたことを特徴とするラック。
【００１２】
４．前記棚板上の前記物品としてオーディオ関連機器が載置されるようになされたオーディオラックである、前記３記載のラック。
【発明の効果】
【００１３】
本発明は、従来の点接地のスパイク構造体と比較して安定性の向上とともに、音に対しても非常に良い結果をもたらすものである。
本発明によれば、固定物の振動を抑制して安定性を向上するとともに、特にオーディオラックに使用した際に良質の音を実現できるスパイク構造体および該構造体を用いたラックを提供することができる。
【図面の簡単な説明】
【００１４】
【図１】本発明の一実施形態に係るスパイク構造体の立設状態を示すイメージ図である。
【図２】本発明の一実施形態に係るスパイク構造体を構成するスパイク受けを示す概略説明図である。図２（ａ）は本スパイク受けを示す平面図であり、図２（ｂ）は本スパイク受けの中央部断面を点線で示した正面図である。
【図３】本発明の一実施形態に係るスパイク構造体を構成するスパイクを示す概略説明図（正面図）である。
【図４】図２および図３それぞれのスパイク受けおよびスパイクから構成されたスパイク構造体の立設状態を示す斜視図である。
【図５】ラックに用いる場合の支柱とスパイクとスパイク受けを接続させる場合の組み合わせを示す概略説明図である。図５（ａ）は支柱、図５（ｂ）はスパイク、図５（ｃ）はスパイク受けを示す概略説明図である。
【図６】本実施形態のスパイク構造体を用いたラックの一例を示す概略斜視図である。
【図７】図６のラックのＡの部分を正面方向から視た概略拡大図である。
【図８】図８（ａ）は、従来のスパイク構造の一形態を示すイメージ図である。図８（ｂ）は、従来のスパイク構造の他の形態を示すイメージ図である。
【発明を実施するための形態】
【００１５】
以下、本発明について、その好ましい実施形態に基づき詳細に説明する。
本発明の一実施形態は、図１に示すように、先端が円錐の形態を有し、該円錐の頂点の側を下方に向けて接地するように使用されるスパイク１と、このスパイク１における頂点近傍の円錐面と面接地（接触部分は、図１のＳの部分）により該スパイク１を支持するための受け面を備えているスパイク受け２と、から構成されるスパイク構造体１０である。なお、図１では、説明のため接触部分Ｓに隙間があるように見えるが、実際にはスパイク１とスパイク受け２との間に隙間がなく、当接して面接地されている。
【００１６】
本実施形態のスパイク構造体１０は、このような構成を備えているため、ラックを支持する脚部として棚板等の上に載置や固定した物品（以下、「固定物」ともいう）の振動を抑制して安定性を向上することができる。特に、オーディオラックに使用した際には、良質の音を実現することができる。
【００１７】
本実施形態のスパイク構造体１０では、スパイク受け２の受け面Ｓ２が、スパイクの円錐面と同一の傾斜角を有している。このため、接触部Ｓにおいて、スパイク１とスパイク受け２とがぴったり当接（隙間なく面接触）でき、本実施形態の効果を達成できる。
【００１８】
本実施形態のスパイク構造体１０を構成するスパイク受け２は、図１および図２に示すように、中央部の上側に位置する受け面Ｓ２と、その下側に位置する空間部Ｈを備えている。
【００１９】
スパイク受け２のこのような構造によって、スパイク受け２がスパイク１と面接地して立設したときに、スパイク受け２の受け面Ｓ２の下方に、スパイク１の円錐の頂点が入り込むこととなる。この場合、従来のスパイク構造と異なり、スパイク１の頂点が空間部Ｈにおいてスパイク受け２と接触することがなく、オーディオラックに使用した際にはより良質の音の効果をもたらされるものと推察される。
【００２０】
ここで、空間部Ｈの平面視での断面の径は、受け面Ｓ２の径（スパイク受け２の表面における最大径）の半分程度であること（４０％〜６０％、特に４５〜５５％）が好ましい。
また、受け面Ｓ２の径は、スパイク受け２全体の径に対して、１０〜１５％であることが好ましい。
さらに、受け面Ｓ２および空間部Ｈそれぞれの深さは、同程度であることが好ましく、それら深さの合計が、スパイク受け２の全体の高さの３分の２程度であることが好ましい。
【００２１】
スパイク受け２の上記のような特有の構造によって、スパイク１と面接地して立設した際に、より耐振動性を高めて安定なものとなる。また、このスパイク受け２により構成したスパイク構造体１０を、オーディオラックを支持する脚部として使用した際には、特に質の高い音を実現することができる。
【００２２】
本実施形態のスパイク構造体１０を構成するスパイク１は、図３に示すように、先端が円錐の形態を有する円錐部１１とともに、通常ラック等の支柱と係合可能な支柱接合部１２を備えている。
【００２３】
スパイク１は、その円錐部１１の頂点の側を下方に向けて接地するように使用される。図４に示すように、例えば、ラックの脚部に適用する場合、上方が支柱接合部１２、下方が円錐部１１になるようにしてスパイク１の頂点近傍の円錐面を、スパイク受け２の中央にある空間部Ｈ上の受け面Ｓ２に面接地させ、立設した状態で使用される。
【００２４】
スパイク１における面接地に対応する頂点近傍の円錐面は、円錐部１１の面全体の上端から下端（頂点）までの長さの２〜２５％、特に５〜２０％の範囲内で頂点からの位置に設けることが好ましい。
【００２５】
本実施形態において、スパイク１の正面視での断面における円錐部分の頂点の角度（図１における三角形の下部頂点の角度）は、６０°であるが、好ましくは４５°〜７５°、特に５０°〜７０°の範囲で適宜に調整可能である。これに合わせて、スパイク１の頂点近傍の円錐面と面接触できるように、スパイク受け２の受け面の傾斜角を設定することが好ましい。
【００２６】
本実施形態のスパイク構造体１０を用いてラックに適用する際には、図５に示すように、（ｃ）のスパイク受け２の中央部にある受け面Ｓ２に対して、上方から（ｂ）のスパイク１の頂点近傍の円錐面が面接触するように嵌め込んで立設し、さらにその上方から（ａ）の接合孔を有するラック用支柱３をスパイク１の支柱接合部に係合するように嵌め込まれる。
【００２７】
本発明はまた、物品を載置するための一又は複数の棚板と、該棚板をその下方で支持する複数の支柱と、該支柱の下方で土台として全体を支持する脚部と、を備えるラックであって、前記脚部として、前述した本実施形態のスパイク構造体を用いたラックを提供するものである。
【００２８】
本発明のラックの一実施形態としては、例えば、図６に示すように、三つの棚板と、それらの下方四隅で支持する複数の支柱と、各支柱の下方において脚部として前述した本実施形態のスパイク構造体１０を複数用いたオーディオラック１００が挙げられ、前記棚板には、オーディオ関連機器が載置されるようになされている。
【００２９】
図７に示すように、このオーディオラック１００は、スパイク１とスパイク受け２が面接地して立設されたスパイク構造体１０を脚部として複数備え、その上方の支柱３を介して、棚板を支持する構造となっている。
【００３０】
このような構造を有するオーディオラック１００によれば、棚板上に載置したアンプやスピーカー等の音響関連機器の振動を抑制して安定性が向上し、質の高い音を実現することができる。
【実施例】
【００３１】
３箇所のオーディオルームＡ、ＢおよびＣにて、本発明に係るスパイク構造体を用いた実施例のラックと、他のラック（比較例）との比較をした。これらを実施した際の比較した製品と使用した機器を以下に示す。オーディオルームＡにおける実施例は、図６に示す棚板三段式のラック１００の各棚板上に各機器を載置して行った。他の実施例も同様にして行った。
【００３２】
１．オーディオルームＡ
・ラックに載せた機材
プレーヤー:Philips LHH2000
プリアンプ:Bricasti Design M12
パワーアンプ:Bricasti Design M15
スピーカー:AudioMachina CRM
【００３３】
・比較したラック
すべての脚部（スパイク構造体）を点接地のものに変更した以外は実施例で使用したラックと同様のラック
【００３４】
２．オーディオルームＢ
・ラックに載せた機材
プレーヤー:ノートPC
インターフェース:RME Fireface UC+アナログ電源 
DDC:Esoteric G-25U
DAC:dCS Delius
スピーカー:B&W 800D3
【００３５】
・比較したラック
すべての脚部（スパイク構造体）を点接地のものに変更した以外は実施例で使用したラックと同様のラック
【００３６】
３．オーディオルームＣ
・ラックに載せた機材
GPS:Thunderbolt+安定化電源
プリアンプ:TAD C600(本体+電源)
スピーカー:Avalon Acoustics ISIS
【００３７】
・比較したラック
すべての脚部（スパイク構造体）を点接地のものに変更した以外は実施例で使用したラックと同様のラック
【００３８】
本実施例のラックを従来品（本発明のスパイク構造体を使用していない通常のラックあるいは点接地によるスパイク形状）と比較した。その結果、オーディオルームＡ〜Ｃでの全ての試聴テストにおいて、本実施例のラックは、従来品に比して、低域の量感と制動性の向上と音像の定位が奥まることで音楽の空間表現が非常に向上した。
【産業上の利用可能性】
【００３９】
本発明は、固定物の振動を抑制して安定性を向上するとともに、特にオーディオラックに使用した際に良質の音を実現できるスパイク構造体および該構造体を用いたラックとして、産業上の利用可能性を有する。
【符号の説明】
【００４０】
１０…本発明のスパイク構造体
２０，３０…従来のスパイク構造体
１，２１，３１…スパイク
１１…円錐部
１２…支柱接合部
２，２２，３２…スパイク受け
Ｓ２…受け面
Ｓ…面接地による接触部
Ｐ…点接地による接触部
３…支柱
１００…ラック（オーディオラック）
Ｈ…空間部（穴部）
Ｓ…接触部分（面接地）
【要約】      （修正有）【課題】固定物の振動を抑制して安定性を向上するとともに、特にオーディオラックに使用した際に良質の音を実現できるスパイク構造体および該構造体を用いたラックを提供する。【解決手段】スパイク構造体１０は、先端が円錐の形態を有し、円錐の頂点の側を下方に向けて接地するように使用されるスパイク１と、スパイクにおける頂点近傍の円錐面と面接地Ｓによりスパイクを支持するための受け面を備えているスパイク受け２と、から構成される。【選択図】図１【図１】
0006901810.tif 000002
【図２】
0006901810.tif 000003
【図３】
0006901810.tif 000004
【図４】
0006901810.tif 000005
【図５】
0006901810.tif 000006
【図６】
0006901810.tif 000007
【図７】
0006901810.tif 000008
【図８】
0006901810.tif 000009